(57)【要約】【課題】ＲＦタグ付の原稿を裏紙として効率的に再利用することを可能にする原稿読取装置を提供する。【解決手段】原稿読取装置１は、給紙された原稿一枚毎に原稿に付けられたＲＦタグを読み取ってその原稿が記録面として利用できる面を有するか否かを判定する記録面判定部７１と、記録面判定部７１によって記録面として利用できる面を有する判定がされた原稿について、記録面として利用できる面が向いている側を判定する面向判定部７３と、面向判定部７３の判定を基にして記録面として利用できる面を一方向に揃えて原稿を排紙する搬送部７５と、を備える。【選択図】図１４
2008028685.tif 000002
【特許請求の範囲】
【請求項１】
給紙された原稿一枚毎に原稿に付けられたＲＦタグを読み取ってその原稿が記録面として利用できる面を有するか否かを判定する記録面判定部と、
前記記録面判定部によって記録面として利用できる面を有する判定がされた原稿について、記録面として利用できる面が向いている側を判定する面向判定部と、
前記面向判定部の判定を基にして記録面として利用できる面を一方向に揃えて原稿を排紙する搬送部と、を備える
ことを特徴とする原稿読取装置。
【請求項２】
ＲＦタグは、原稿の四つの隅部のいずれか一つに位置しており、
前記面向判定部は、ＲＦタグが四つの隅部のいずれに位置しているかを判定するＲＦタグ位置判定部を含む
ことを特徴とする請求項１に記載の原稿読取装置。
【請求項３】
前記面向判定部は、原稿が縦置き及び横置きのいずれかを判定する縦横判定部を含む
ことを特徴とする請求項２に記載の原稿読取装置。
【請求項４】
前記原稿読取装置は、給紙される原稿がセットされ、かつ原稿の搬送方向に沿う第１及び第２の側部を有する原稿トレイを備え、
前記記録面判定部は、
前記第１の側部側で前後する二つの隅部のいずれかにＲＦタグが位置している場合の読み取りを分担する第１のリーダと、
前記第２の側部側で前後する二つの隅部のいずれかにＲＦタグが位置している場合の読み取りを分担する第２のリーダと、を含む
ことを特徴とする請求項２又は３に記載の原稿読取装置。
【請求項５】
前記原稿読取装置は、前記原稿トレイに配置され、固定部及び原稿のサイズに合わせてスライド可能な可動部により構成される原稿ガイドを備え、
前記第１及び第２のリーダのうち前記固定部側に配置されたリーダは、通信可能距離が比較的短く設定され、
前記第１及び第２のリーダのうち前記可動部側に配置されたリーダは、通信可能距離が比較的長く設定されている
ことを特徴とする請求項４に記載の原稿読取装置。
【請求項６】
前記原稿読取装置は、前記原稿トレイに配置され、原稿のサイズに合わせてスライド可能な一対の可動部により構成される原稿ガイドを備え、
前記第１及び第２のリーダは、通信可能距離が略等しく設定されている
ことを特徴とする請求項４に記載の原稿読取装置。
【請求項７】
前記搬送部は、前記記録面判定部の判定を基にして原稿が排紙される位置を切り替える切替部を含む
ことを特徴とする請求項１〜６のいずれか一項に記載の原稿読取装置。
【請求項８】
原稿が排紙される位置の切り替えは、原稿が排紙されるトレイの切り替えである
ことを特徴とする請求項７に記載の原稿読取装置。
【請求項９】
記録面として利用できる面とは白紙の面である
ことを特徴とする請求項１〜８のいずれか一項に記載の原稿読取装置。
【請求項１０】
ＲＦタグには、そのＲＦタグの原稿上での位置情報が書き込まれており、
前記面向判定部は、前記位置情報を利用して、記録面として利用できる面が向いている側を判定する
ことを特徴とする請求項１〜９のいずれか一項に記載の原稿読取装置。
【発明の詳細な説明】
【技術分野】
【０００１】
本発明は、ＲＦ(Radio Frequency)タグが付けられた原稿用の原稿読取装置に関する。
【背景技術】
【０００２】
コピー機、プリンタ、ファクシミリ機及びこれらの機能を含むデジタル複合機では、電子写真記録技術やインクジェット記録技術等によって、画像が用紙に記録される。ここで、少なくとも片面に画像が記録された用紙を原稿と称する。したがって、ＲＦタグ付の用紙に画像を記録すると、ＲＦタグ付の原稿となる。ＲＦタグは、半導体メモリに様々な情報を記憶した記憶媒体であり、原稿に付けられたＲＦタグは原稿の認証等に利用される。
【０００３】
ＲＦタグは、通常、用紙の四つの隅部のいずれか一つの隅部に埋め込まれている。ＲＦタグ付の用紙に画像を印刷する際に、ＲＦタグがどの隅部に位置しているかを検知することによって、ＲＦタグ付の用紙が裏表や上下間違えてセットされていても、正常に印刷できる印刷装置がある（例えば特許文献１参照）。
【特許文献１】特開２００４−２８４２５０号公報
【発明の開示】
【発明が解決しようとする課題】
【０００４】
記録面として利用できる面を有する原稿（例えば片面が白紙の原稿）であれば、その原稿は裏紙として再利用できる。
【０００５】
本発明の目的は、ＲＦタグ付の原稿を裏紙として効率的に再利用することを可能にする原稿読取装置を提供することである。
【課題を解決するための手段】
【０００６】
本発明に係る原稿読取装置は、給紙された原稿一枚毎に原稿に付けられたＲＦタグを読み取ってその原稿が記録面として利用できる面を有するか否かを判定する記録面判定部と、前記記録面判定部によって記録面として利用できる面を有する判定がされた原稿について、記録面として利用できる面が向いている側を判定する面向判定部と、前記面向判定部の判定を基にして記録面として利用できる面を一方向に揃えて原稿を排紙する搬送部と、を備える。
【０００７】
本発明に係る原稿読取装置において、ＲＦタグは、原稿の四つの隅部のいずれか一つに位置しており、前記面向判定部は、ＲＦタグが四つの隅部のいずれに位置しているかを判定するＲＦタグ位置判定部を含む、ようにすることができる。
【０００８】
本発明に係る原稿読取装置において、前記面向判定部は、原稿が縦置き及び横置きのいずれかを判定する縦横判定部を含む、ようにすることができる。
【０００９】
本発明に係る原稿読取装置は、給紙される原稿がセットされ、かつ原稿の搬送方向に沿う第１及び第２の側部を有する原稿トレイを備え、前記記録面判定部は、前記第１の側部側で前後する二つの隅部のいずれかにＲＦタグが位置している場合の読み取りを分担する第１のリーダと、前記第２の側部側で前後する二つの隅部のいずれかにＲＦタグが位置している場合の読み取りを分担する第２のリーダと、を含む、ようにすることができる。
【００１０】
本発明に係る原稿読取装置は、前記原稿トレイに配置され、固定部及び原稿のサイズに合わせてスライド可能な可動部により構成される原稿ガイドを備え、前記第１及び第２のリーダのうち前記固定部側に配置されたリーダは、通信可能距離が比較的短く設定され、前記第１及び第２のリーダのうち前記可動部側に配置されたリーダは、通信可能距離が比較的長く設定されている、ようにすることができる。
【００１１】
本発明に係る原稿読取装置は、前記原稿トレイに配置され、原稿のサイズに合わせてスライド可能な一対の可動部により構成される原稿ガイドを備え、前記第１及び第２のリーダは、通信可能距離が略等しく設定されている、ようにすることができる。
【００１２】
本発明に係る原稿読取装置において、前記搬送部は、前記記録面判定部の判定を基にして原稿が排紙される位置を切り替える切替部を含む、ようにすることができる。
【００１３】
本発明に係る原稿読取装置において、原稿が排紙される位置の切り替えは、原稿が排紙されるトレイの切り替えである、ようにすることができる。
【００１４】
本発明に係る原稿読取装置において、記録面として利用できる面とは白紙の面である、ようにすることができる。
【００１５】
本発明に係る原稿読取装置において、ＲＦタグには、そのＲＦタグの原稿上での位置情報が書き込まれており、前記面向判定部は、前記位置情報を利用して、記録面として利用できる面が向いている側を判定する、ようにすることができる。
【発明の効果】
【００１６】
本発明に係る原稿読取装置によれば、給紙された原稿一枚毎にその原稿が記録面として利用できる面を有するか否かを判定する。ＲＦタグを読み取るだけでは、記録面として利用できる面の向いている側が分からないので、記録面として利用できる面を有する判定がされた原稿については、記録面として利用できる面の向いている側を判定し、この判定を基にして記録面として利用できる面を一方向に揃えて排紙する。したがって、本発明によれば、記録面として利用できる面を有するＲＦタグ付の原稿を裏紙として効率的に再利用することができる。
【発明を実施するための最良の形態】
【００１７】
本発明の実施形態について図面を用いて説明する。図１は、本実施形態に係る原稿読取装置１の主要な構成を示す図である。原稿読取装置１は、コピー機、スキャナー、ファクシミリ機やこれらの機能を有するデジタル複合機に備えることができる。
【００１８】
原稿読取装置１は、原稿自動送り装置３及びＲＦタグを読み取るリーダＲＤ１（第１のリーダ）、リーダＲＤ２（第２のリーダ）を備える。なお、画像センサ５、プラテンガラス７及びミラー９は、読取位置Ｐ１で画像センサ５によって原稿を読み取る場合に用いられるものであり、コピー等で利用される。したがって、原稿読取装置１を動作（原稿の仕分け等）させる場合には利用されない。
【００１９】
原稿自動送り装置３は、原稿の搬送経路Ｃ１〜Ｃ６に設置された、ローラＲ１〜Ｒ１２、ガイドＧ１，Ｇ２及び各種センサＳ１〜Ｓ５を備える。ローラＲ１は原稿を繰り込む方向に回転し、これにより、図示しない原稿トレイから原稿が繰り込まれる。ローラＲ１の両端部には、ローラＲ２を保持するアームＡＭが揺動可能に取り付けられている。ローラＲ３は、ローラＲ１と協働して原稿をニップする。ローラＲ２が原稿を繰り込む方向に回転すると共にローラＲ３が原稿を戻す方向に回転することによって、二枚以上の原稿が一度に繰り込まれるのを防止する。
【００２０】
ローラＲ４，Ｒ５，Ｒ６は、原稿を搬送する方向に同期して回転する。ローラＲ７，Ｒ８，Ｒ９はフリーローラである。ローラＲ４とローラＲ７、ローラＲ５とローラＲ８、ローラＲ６とローラＲ９で、それぞれ原稿をニップする。
【００２１】
ローラＲ１０，Ｒ１１は、時計方向及び反時計方向に回転可能である。搬送経路Ｃ４を通った原稿は、ローラＲ１０，Ｒ１１によってニップされる。ローラＲ１０が時計方向に回転すると共にローラＲ１１が反時計方向に回転することによって、原稿は排紙トレイＴ１に排紙される。一方、ローラＲ１０が反時計方向に回転すると共にローラＲ１１が時計方向に回転することによって、原稿は、ガイドＧ２上を通り、搬送経路Ｃ６、搬送経路Ｃ２及び搬送経路Ｃ３を進む。
【００２２】
ローラ１２は時計方向に回転可能である。搬送経路Ｃ５を通った原稿は、ローラＲ１０，Ｒ１２によってニップされる。ローラＲ１０が反時計方向に回転すると共にローラＲ１２が時計方向に回転することによって、原稿は排紙トレイＴ２に排紙される。原稿を搬送するローラとしてローラＲ１〜Ｒ１２を説明したが、原稿を搬送するローラの数や設置箇所はこれに限定されない。
【００２３】
ガイドＧ１は、図示しないガイド駆動部によって、その位置が切り替えられる。これにより、排紙トレイＴ１へ向かう搬送経路Ｃ４と排紙トレイＴ２へ向かう搬送経路Ｃ５が選択される。
【００２４】
ガイドＧ２は通常、図１に示す位置にある。ガイドＧ２はガイドＧ１と異なり、ガイド駆動部によりその位置が切り替えられるのではなく、搬送経路Ｃ４を通る原稿によって押されて撓み、原稿をローラＲ１０，Ｒ１１へ導く。そして、原稿がガイドＧ２を通過し終わると、ガイドＧ２は図１に示す位置に戻る。ローラＲ１０，Ｒ１１でニップされた原稿を搬送経路Ｃ６へ送る場合、ガイドＧ２は図１に示す位置にあるので、原稿は搬送経路Ｃ４へ導かれずに、ガイドＧ２上を通過して搬送経路Ｃ６へ導かれる。
【００２５】
図２は、原稿読取装置１に備えられる原稿トレイＴ３及びその付近の平面図である。原稿トレイＴ３には、給紙される原稿がセットされる。原稿トレイＴ３は、原稿の搬送方向Ｄに沿う第１の側部１３及び第２の側部１５を有する。原稿トレイＴ３には、固定部１７及び原稿のサイズに合わせてスライド可能な可動部１９により構成される原稿ガイド１１が配置されている。固定部１７は、第１の側部１３側に位置する。可動部１９は、第２の側部１５側に位置する。
【００２６】
次に、各種センサＳ１〜Ｓ５について図１及び図２を用いて説明する。原稿長センサＳ１及び原稿幅センサＳ２，Ｓ３，Ｓ４は、ローラＲ１の下流に配置されている。原稿長センサＳ１は、原稿ガイド１１の固定部１７側に設けられている。原稿幅センサＳ２，Ｓ３，Ｓ４は、原稿ガイド１１の可動部１９側に設けられており、原稿の搬送方向Ｄと直交する方向に並べられている。原稿長センサＳ１及び原稿幅センサＳ２，Ｓ３，Ｓ４は、原稿トレイＴ３に置かれた原稿のサイズ（Ａ４，Ｂ４，・・・）及び置き方（縦置き又は横置き）の判定に利用される。
【００２７】
例えば、原稿幅センサＳ２，Ｓ３，Ｓ４の全てで原稿が検知された場合、（１）原稿長センサＳ１が原稿を検知している時間が所定時間を超えると横置きのＡ３原稿と判定され、（２）原稿長センサＳ１が原稿を検知している時間が所定時間以下であると縦置きのＡ４原稿と判定される。
【００２８】
図１に示すリードセンサＳ５は、画像センサ５によって原稿を読み取る動作を開始するタイミングを取るために利用される。具体的には、リードセンサＳ５によって原稿の先端が検知されると、所定時間経過後に画像センサ５による原稿の読み取り動作が開始される。なお、リードセンサＳ５をなくして、原稿長センサＳ１がリードセンサＳ５の機能を兼ねるようにしてもよい。  
【００２９】
なお、リードセンサＳ５は、原稿トレイＴ３に置かれた原稿のサイズ及び置き方の判定に利用することもできる。先程の例で説明する。原稿長センサＳ１からリードセンサＳ５までの距離（搬送路に沿った距離）が、Ａ４原稿の短い方の辺より長くされている構成において、原稿幅センサＳ２，Ｓ３，Ｓ４の全てで原稿が検知された場合、（１）原稿長センサＳ１及びリードセンサＳ５が同時に原稿を検知していれば、横置きのＡ３原稿と判定され、（２）原稿長センサＳ１及びリードセンサＳ５が同時に原稿を検知できなければ、縦置きのＡ４原稿と判定される。  
【００３０】
図２に示すように、原稿長センサＳ１の下流には、リーダＲＤ１（第１のリーダ）が配置されている。原稿幅センサＳ２，Ｓ３，Ｓ４の下流には、リーダＲＤ２（第２のリーダ）が配置されている。
【００３１】
次に、原稿読取装置１のハードウェア構成について、図３を用いて説明する。図３は、原稿読取装置１のハードウェア構成を示すブロック図である。原稿読取装置１は、制御部２１、原稿長センサＳ１、原稿幅センサＳ２，Ｓ３，Ｓ４、リードセンサＳ５、リーダＲＤ１，ＲＤ２、ローラ駆動部２３、ガイド駆動部２５、操作部２７、ＲＯＭ２９及びＲＡＭ３１が相互にバス３３で接続された構成を有する。
【００３２】
制御部２１は、例えばＣＰＵにより実現されており、原稿読取装置１を構成する上記ハードウェアを制御すると共に原稿読取装置１の動作に必要なソフトウェアを実行する。原稿長センサＳ１、原稿幅センサＳ２，Ｓ３，Ｓ４及びリードセンサＳ５は、上記の通り、原稿の位置を検知するためのセンサであり、リミットセンサや発光素子と受光素子で構成される光センサ等によって実現される。
【００３３】
リーダＲＤ１，ＲＤ２は、原稿に付けられたＲＦタグの読み取りを実行する。リーダＲＤ１，ＲＤ２の役割については後で説明する。ローラ駆動部２３は、例えばステッピングモータにより実現され、フリーローラ以外のローラＲ１〜Ｒ１２を回転駆動する。ガイド駆動部２５は、ソレノイド等により実現され、ガイドＧ１の位置を切り替える。
【００３４】
操作部２７は、原稿読取装置１の操作に必要なキー（スタートキー等）を備える。ＲＯＭ２９は、フラッシュメモリ等により実現されており、原稿読取装置１の動作に必要なソフトウェアを記憶している。ＲＡＭ３１は、ＳＲＡＭ、ＤＲＡＭ等により実現されており、ソフトウェアの実行時に発生するデータを一時的に記憶する。
【００３５】
本実施形態に係る原稿読取装置１の一つの特徴は、ＲＦタグが付けられた原稿を、片面にのみ画像が記録されている原稿（つまり、白紙の面を有する原稿）と両面に画像が記録されている原稿とに仕分けをし、白紙の面を有する原稿については白紙の面を揃えて排紙することである。    
【００３６】
例えば、図４に示すように、ＲＦタグ４１付の用紙４３に画像（図４では「Ｆ」）をコピー等によって記録すると、画像が片面のみに記録されたか又は両面に記録されたかの情報がＲＦタグ４１に書き込まれる。すなわち、片面にのみ画像が記録されると、ＲＦタグ４１には「第１面に画像有り、第２面に画像無し」を示す情報が書き込まれる。両面に画像が記録されると、ＲＦタグ４１には「第１面に画像有り、第２面に画像有り」を示す情報が書き込まれる。
【００３７】
したがって、ＲＦタグ４１を読み取れば、原稿４５が白紙の面を有するか否かを判定することができるので、原稿４５を仕分けることができる。なお、ＲＦタグ４１は、用紙４３や原稿４５の表面に付けられているのではなく、用紙４３や原稿４５に埋め込まれている。
【００３８】
原稿４５の白紙の面を揃えて排紙するためには、白紙の面が向いている側（上側又は下側）を判定する必要がある。例えばＢ４原稿で説明すると、図２の原稿トレイＴ３にＢ４原稿をセットする場合、図５に示すように、（ａ）〜（ｄ）の四通りのセットの仕方がある。ここでは、第１面に「Ｆ」が記録され、第２面が白紙とする。（ａ）と（ｂ）は、第１面が上側を向いており、（ａ）を１８０度回転させると（ｂ）になる。（ｃ）と（ｄ）は、第１面が下側、つまり第２面が上側を向いており、（ｃ）を１８０度回転させると（ｄ）になる。このように、原稿４５を原稿トレイＴ３にセットすると、ＲＦタグ４１は原稿４５の四つの隅部のいずれかに位置することになる。
【００３９】
（ａ）に示すように、ＲＦタグ４１が原稿４５の先端の右隅部に位置すると、原稿４５の第１面が上側と規定する。したがって、（ｂ）に示すように、ＲＦタグ４１が原稿４５の後端の左隅部に位置すると、原稿４５の第１面が上側と判定できる。一方、（ｃ）に示すように、ＲＦタグ４１が原稿４５の後端の右隅部に位置したり、（ｄ）に示すように、ＲＦタグ４１が原稿４５の先端の左隅部に位置したりすると、原稿４５の第１面が下側と判定できる。
【００４０】
原稿４５の第２面（白紙の面）が上側でも下側でも、ＲＦタグ４１の読み取りをすることができる。したがって、ＲＦタグ４１に書き込まれた情報を読み取るだけでは、白紙の面の向いている側を判定できない。そこで、本実施形態では、原稿トレイＴ３にセットされた原稿４５上のＲＦタグ４１の位置と原稿４５のサイズとによって、原稿４５の白紙の面が向いている側（上側又は下側）を判定している。
【００４１】
ＲＦタグ４１の位置の判定には、図２に示す原稿長センサＳ１及び二つのリーダＲＤ１，ＲＤ２が利用される。これについて、図２及び図５で説明する。まず、リーダＲＤ１，ＲＤ２の役割から説明する。リーダＲＤ１，ＲＤ２は、ＲＦタグ４１の位置に応じて読み取りを分担する。すなわち、原稿トレイＴ３の第１の側部１３側で前後する二つの隅部のいずれかにＲＦタグ４１が位置している場合（図５（ａ），（ｃ））、ＲＦタグ４１はリーダＲＤ１（第１のリーダ）によって読み取られる。これに対して、原稿トレイＴ３の第２の側部１５側で前後する二つの隅部のいずれかにＲＦタグ４１が位置している場合（図５（ｂ），（ｄ））、ＲＦタグ４１はリーダＲＤ２（第２のリーダ）によって読み取られる。
【００４２】
上記分担のために、リーダＲＤ１の通信可能範囲とリーダＲＤ２の通信可能範囲が重ならないように、リーダＲＤ１，ＲＤ２の通信可能距離が調整されている。原稿ガイド１１の固定部１７側では、原稿４５のサイズや置き方に関わらず、原稿４５のエッジの位置が変化しない。したがって、固定部１７側に配置されているリーダＲＤ１は、その通信可能距離Ｌ１が比較的短く設定されている。可動部１９側では、原稿４５のサイズや置き方によって、原稿４５のエッジの位置が変化する。よって、可動部１９側に配置されているリーダＲＤ２は、その通信可能距離Ｌ２が比較的長く設定されている（Ｌ２＞Ｌ１）。
【００４３】
なお、図６に示すように、原稿４５のサイズに合わせてスライド可能な一対の可動部１９ａ，１９ｂにより原稿ガイド１１が構成される場合、リーダＲＤ１（第１のリーダ）及びリーダＲＤ２（第２のリーダ）は、通信可能距離が略等しく設定される。
【００４４】
リーダＲ１，Ｒ２によって、ＲＦタグ４１の読み取りが実行される。リーダＲ１によってＲＦタグ４１を読み取ることができた場合、ＲＦタグ４１は第１の側部１３側に位置し、リーダＲ２によってＲＦタグ４１を読み取ることができた場合、ＲＦタグ４１は第２の側部１５側に位置することが分かる。
【００４５】
ＲＦタグ４１の位置を判定するには、ＲＦタグ４１が第１の側部１３側に位置している場合（図５（ａ），（ｃ））と、ＲＦタグ４１が第２の側部１５側に位置している場合（図５（ｂ），（ｄ））と、を判定するだけで足りない。これに加えて、ＲＦタグ４１の位置する隅部が原稿４５の先端側（図５（ａ），（ｄ））又は後端側（図５（ｂ），（ｃ））にあるかを判定しなければならない。
【００４６】
上記先端側又は後端側の判定は、以下のようにして実行される。原稿長センサＳ１が原稿４５を検知したタイミングからＲＦタグ４１がリーダＲＤ１又はリーダＲＤ２の通信可能な範囲に来たタイミングまでの時間が所定時間以下であれば、ＲＦタグ４１の位置する隅部が原稿４５の先端側（図５（ａ），（ｄ））と判定できる。一方、上記時間が所定時間を越えれば、ＲＦタグ４１の位置する隅部が原稿４５の後端側（図５（ｂ），（ｃ））と判定できる。したがって、例えば、ＲＦタグ４１がリーダＲＤ２で読み取られ、かつ上記時間が所定時間を越えれば、ＲＦタグ４１は図５（ｂ）に示す位置にあることを判定できる。
【００４７】
原稿長センサＳ１がリーダＲＤ１，ＲＤ２よりも下流に位置する場合（つまり、図２に示す原稿長センサＳ１とリーダＲＤ１，ＲＤ２の位置関係が逆の場合）も、同様の方法で、ＲＦタグ４１の位置する隅部が原稿４５の先端側か後端側かを判定できる。
【００４８】
以上のように、本実施形態では、原稿長センサＳ１及び二つのリーダＲＤ１，ＲＤ２を利用して、ＲＦタグ４１の位置が判定される。ＲＦタグ４１を読み取れば、原稿４５が白紙の面を有するか否か判定できるので、この判定をするだけならば、リーダは一つでよい。本実施形態では、ＲＦタグ４１の位置（つまり原稿４５の白紙の面が向いている側）を判定するために、図２に示すように二つのリーダＲＤ１，ＲＤ２を設けている。
【００４９】
原稿４５のサイズがＢ４やＡ３の場合、図２に示すように横置きしかできない。したがって、原稿トレイＴ３にセットされた原稿４５上のＲＦタグ４１の位置だけで、白紙の面が向いている側を判定できる。しかし、原稿４５が縦置き及び横置きができるサイズ（例えばＡ４）であると、図７に示すように、（ａ）〜（ｈ）の八通りのセットの仕方がある。この場合、例えば、（ａ）及び（ｇ）は、共に、ＲＦタグ４１が原稿４５の先端の右隅部に位置している。しかし、（ａ）に示す原稿４５は第１面が上側であるのに対して、（ｇ）に示す原稿４５は第１面が下側である。よって、ＲＦタグ４１の位置だけでは、原稿４５の白紙の面が向いている側を特定できない。
【００５０】
したがって、Ａ４原稿のように、縦置き及び横置きができるサイズの原稿４５は、縦置き及び横置きのいずれかの判定も必要となる。この判定は、原稿長センサＳ１及び原稿幅センサＳ２，Ｓ３，Ｓ４の説明箇所で述べたように、これらのセンサによって実現できる。
【００５１】
次に、本実施形態に係る原稿読取装置１の動作の詳細について、図８〜図１３を用いて説明する。図８〜図１２は、原稿読取装置１内の原稿４５の位置を示す図であり、図１と対応する。図１３は、原稿読取装置１の動作のフローチャートである。  
【００５２】
図８に示すように、図２に示す原稿トレイＴ３にセットされた原稿４５は、ローラＲ１〜Ｒ３によって、一枚毎に原稿自動送り装置３内へ繰り込まれる（ステップＳ１）。これにより、原稿４５に付けられたＲＦタグ４１（図示せず）は、リーダＲＤ１又はリーダＲＤ２で読み取られる（ステップＳ３）。図８〜図１２において、ＲＦタグ４１の図示を省略しているので、これらの図の説明箇所では、「ＲＦタグ４１」を「ＲＦタグ」と記載する。
【００５３】
ＲＦタグには、片面にのみ画像が記録されていることを示す情報（つまり、白紙の面を有する原稿４５であることを示す情報）又は両面に画像が記録されていることを示す情報が書き込まれている。したがって、上記読み取りを基にして、原稿４５が白紙の面を有するか否か判定される（ステップＳ５）。
【００５４】
白紙の面を有する原稿４５と判定された場合（ステップＳ５でＹｅｓ）、原稿トレイＴ３に原稿４５がセットされた状態での白紙の面の向いている側が判定される（ステップＳ７）。
【００５５】
ステップＳ１で原稿自動送り装置３内へ繰り込まれた原稿４５は、ステップＳ３，Ｓ５，Ｓ７の処理をしている間に、ローラＲ１〜Ｒ１２によって、次のように搬送される。まず、図９に示すように、原稿４５は、搬送経路Ｃ１→搬送経路Ｃ２→搬送経路Ｃ３→搬送経路Ｃ４を通り、ローラＲ１０，Ｒ１１へ向けて搬送される。原稿４５は、ローラＲ１０，Ｒ１１によってニップされ、そして、図１０に示すように、原稿４５の後端部４７付近がローラＲ１０，Ｒ１１によってニップされる位置まで原稿４５は排紙トレイＴ１側へ送られる。
【００５６】
したがって、白紙の面を上側にして原稿トレイＴ３にセットされた原稿は、図１０に示す状態では白紙の面が下側となり、白紙の面を下側にして原稿トレイＴ３にセットされた原稿は、図１０に示す状態では白紙の面が上側となる。
【００５７】
原稿４５が図１０に示す状態で、白紙の面が下側か否か判定される(ステップＳ９)。ここでは、白紙の面を下側にして排紙トレイＴ１に排紙するので、白紙の面が下側か否かを判定している。ステップＳ９で、白紙の面が下側と判定されると、図１０に示す状態の原稿４５は、白紙の面を下側にして排紙トレイＴ１に排紙される（ステップＳ１１）。
【００５８】
一方、ステップＳ９で白紙の面が下側でないと判定（つまり上側と判定）されると、白紙の面を下側に向けるために、図１１に示すように、原稿４５は、搬送経路Ｃ６→搬送経路Ｃ２→搬送経路Ｃ３→搬送経路Ｃ４を通って、再び、図１０に示す状態にされる（ステップＳ１３）。そして、原稿４５は、白紙の面を下側にして排紙トレイＴ１に排紙される（ステップＳ１１）。
【００５９】
ステップＳ５で白紙の面を有さない原稿４５の判定がされると、図１２に示すように、ガイドＧ１の位置が切り替えられて、図１０に示す状態の原稿４５は、搬送経路Ｃ６→搬送経路Ｃ２→搬送経路Ｃ３→搬送経路Ｃ５を通って、ローラＲ１０，Ｒ１２へ向けて送られる。原稿４５は、ローラＲ１０，Ｒ１２でニップされて、排紙トレイＴ２に排紙される（ステップＳ１５）。
【００６０】
ステップＳ５の判定結果を基にして、ＲＦタグ４１の情報を書き換えるステップを追加してもよい。白紙の面を有さない原稿４５の場合、ステップＳ１５の前に、その原稿４５のＲＦタグ４１に「廃棄」という情報を書き込む。白紙の面を有する原稿４５の場合、ステップＳ１１の前に、その原稿４５のＲＦタグ４１に「画像は記録されているが、その記録内容は不要な情報であり、白紙の面が再利用可能である」という情報を書き込む。
【００６１】
ＲＦタグ４１の識別情報を管理サーバ等で管理する場合、ステップＳ５の判定結果及び／又はＲＦタグ４１の読取結果に基づいて、その管理情報を更新するステップを追加してもよい。
【００６２】
以上のように、本実施形態に係る原稿読取装置１によれば、白紙の面を有する判定がされた原稿４５について、白紙の面を一方向（本実施形態では白紙の面を下側）に揃えて排紙トレイＴ１に排紙している。したがって、排紙トレイＴ１の原稿４５の束は、白紙の面が一方向に向いた状態なので、原稿４５の束をそのまま、プリンタ等の給紙トレイにセットして裏紙として再利用することができる。このように本実施形態によれば、原稿４５を裏紙として効率的に再利用することができる。
【００６３】
白紙の面を一方向に揃えるには、白紙の面の向いている側が分からなければならない。しかし、ＲＦタグ４１を読み取るだけでは、白紙の面の向いている側が分からない。そこで、本実施形態では、ステップＳ７で白紙の面の向いている側を判定する処理をしている。
【００６４】
また、本実施形態に係る原稿読取装置１によれば、原稿４５一枚毎に白紙の面を有するか否か判定して、白紙の面を有する原稿４５を排紙トレイＴ１に排紙すると共に白紙の面を有さない原稿４５を排紙トレイＴ２に排紙する。したがって、本実施形態によれば、原稿４５を裏紙として再利用できるものとそうでないものとに仕分けることができる。
【００６５】
本実施形態では、原稿４５が排紙される排紙トレイＴ１，Ｔ２の切り替えによって、原稿４５が排紙される位置を切り替えている。しかしながら、一つの排紙トレイで原稿４５を排紙する位置をずらすことによって、原稿４５が排紙される位置を切り替えてもよい。
【００６６】
本実施形態では、原稿４５の記録面として利用できる面を白紙の面を例に説明した。これ以外に、例えば、上部や下部にヘッダーやフッターのみ記録されている面を記録面として利用できる面にすることもできる。また、例えば、記録されている量が所定基準より少ない面を記録面として利用できる面とすることもできる。
【００６７】
図５で説明したように、ＲＦタグ４１は、原稿４５の第１面が上側を向いている状態で原稿４５の先端の右隅部に位置している。このように本実施形態では、ＲＦタグ４１の原稿４５上での位置が予め決められていることを前提に説明したが、以下の態様でもよい。
【００６８】
（態様１）ＲＦタグ４１の原稿４５上での位置情報を、ユーザが原稿読取装置１に入力する。例えば、ＲＦタグ４１が、原稿４５の第１面が上側を向いている状態で原稿４５の後端の右隅部に位置している場合、「第１面上、後端、右隅部」の位置情報を入力する。このようにすれば、ＲＦタグ４１の原稿４５上での位置が任意でも、位置情報を利用することにより、白紙の面が向いている側を判定することができる。
【００６９】
（態様２）ＲＦタグ４１に、そのＲＦタグ４１の原稿４５上での位置情報を書き込んでおく。ＲＦタグ４１には、画像が片面のみに記録されたか又は両面に記録されたかの情報（例えば第１面に画像有り、第２面に画像無し）が書き込まれているが、態様２では位置情報も書き込む。これにより、ユーザは、ＲＦタグ４１の位置情報を原稿読取装置１に入力する必要がなくなる。態様２も態様１と同様にＲＦタグ４１の原稿４５上での位置が任意でも、位置情報を利用することにより、白紙の面が向いている側を判定することができる。なお、ＲＦタグ４１に原稿４５のサイズ情報を書き込んでもよい。これにより、原稿４５の幅を検知すれば、その幅とサイズ情報とから原稿４５の長さが判別できるので、原稿４５の長さの検知が不要になる。
【００７０】
次に、本実施形態に係る原稿読取装置１の機能ブロックについて説明する。図１４に示すように、原稿読取装置１は、記録面判定部７１、面向判定部７３及び搬送部７５を備える。
【００７１】
記録面判定部７１は、原稿トレイＴ３から給紙された原稿４５一枚毎に原稿４５に付けられたＲＦタグ４１を読み取って、その原稿４５が記録面として利用できる面を有するか否か、つまり、裏紙として利用できるか否か判定する。記録面判定部７１は、図２に示すリーダＲＤ１，ＲＤ２により実現される。
【００７２】
面向判定部７３は、記録面判定部７１によって記録面として利用できる面を有する判定がされた原稿４５について、記録面として利用できる面が向いている側を判定する。面向判定部７３は、ＲＦタグ位置判定部７７及び縦横判定部７９によって構成される。
【００７３】
ＲＦタグ位置判定部７７は、ＲＦタグ４１が原稿４５の四つの隅部のいずれに位置しているかを判定する。縦横判定部７９は、原稿４５が縦置き及び横置きのいずれかを判定する。面向判定部７３は、図３に示す原稿長センサＳ１、原稿幅センサＳ２，Ｓ３，Ｓ４、リーダＲＤ１，ＲＤ２、制御部２１、ＲＯＭ２９及びＲＡＭ３１により実現される。
【００７４】
搬送部７５は、記録面として利用できる面を有する原稿４５について、面向判定部７３の判定を基にして記録面として利用できる面を一方向に揃えて排紙する。搬送部７５は、  記録面判定部７１の判定を基にして原稿４５が排紙される位置（排紙トレイＴ１，Ｔ２）を切り替える切替部８１を備える。切替部８１は、記録面として利用できる面を有する原稿４５（つまり、裏紙として利用できる原稿４５）を排紙トレイＴ１に排紙すると共に記録面として利用できる面を有さない原稿４５を排紙トレイＴ２に排紙する。
【００７５】
搬送部７５は、図１に示すローラＲ１〜Ｒ１２、図３に示す制御部２１、ローラ駆動部２５、ＲＯＭ２９及びＲＡＭ３１により実現される。切替部８１は、図１に示すガイドＧ１及び図３に示すガイド駆動部２５により実現される。
【図面の簡単な説明】
【００７６】
【図１】本実施形態に係る原稿読取装置の主要な構成を示す図である。
【図２】本実施形態に係る原稿読取装置に備えられる原稿トレイの一例におけるトレイ及びその付近の平面図である。
【図３】本実施形態に係る原稿読取装置のハードウェアの構成を示すブロック図である。
【図４】ＲＦタグ付の用紙や原稿を示す図である。
【図５】原稿トレイにＢ４原稿をセットする場合の原稿の置き方を示す図である。
【図６】本実施形態に係る原稿読取装置に備えられる原稿トレイの他の例におけるトレイ及びその付近の平面図である。
【図７】原稿トレイにＡ４原稿をセットする場合の原稿の置き方を示す図である。
【図８】本実施形態に係る原稿読取装置内の原稿の位置（第１の位置）を示す図である。
【図９】本実施形態に係る原稿読取装置内の原稿の位置（第２の位置）を示す図である。
【図１０】本実施形態に係る原稿読取装置内の原稿の位置（第３の位置）を示す図である。
【図１１】本実施形態に係る原稿読取装置内の原稿の位置（第４の位置）を示す図である。
【図１２】本実施形態に係る原稿読取装置内の原稿の位置（第５の位置）を示す図である。
【図１３】本実施形態に係る原稿読取装置の動作を説明するフローチャートである。
【図１４】本実施形態に係る原稿読取装置の機能ブロック図である。
【符号の説明】
【００７７】
１・・・原稿読取装置、３・・・原稿自動送り装置、５・・・画像センサ、７・・・プラテンガラス、９・・・ミラー、１１・・・原稿ガイド、１３・・・原稿トレイの第１の側部、１５・・・原稿トレイの第２の側部、１７・・・原稿ガイドの固定部、１９，１９ａ，１９ｂ・・・原稿ガイドの可動部、２１・・・制御部、２３・・・ローラ駆動部、２５・・・ガイド駆動部、２７・・・操作部、２９・・・ＲＯＭ、３１・・・ＲＡＭ、３３・・・バス、４１・・・ＲＦタグ、４３・・・用紙、４５・・・原稿、４７・・・原稿の後端部、７１・・・記録面判定部、７３・・・面向判定部、７５・・・搬送部、７７・・・ＲＦタグ位置判定部、７９・・・縦横判定部、８１・・・切替部、ＡＭ・・・アーム、Ｃ１〜Ｃ６・・・搬送経路、Ｄ・・・原稿の搬送方向、Ｇ１，Ｇ２・・・ガイド、Ｌ１，Ｌ２・・・通信可能距離、Ｐ１・・・画像センサの読取位置、Ｒ１〜Ｒ１２・・・ローラ、ＲＤ１・・・リーダ（第１のリーダ）、ＲＤ２・・・リーダ（第２のリーダ）、Ｓ１・・・原稿長センサ、Ｓ２〜Ｓ４・・・原稿幅センサ、Ｓ５・・・リードセンサ、Ｔ１，Ｔ２・・・排紙トレイ、Ｔ３・・・原稿トレイ
【図１】
2008028685.tif 000003
【図２】
2008028685.tif 000004
【図３】
2008028685.tif 000005
【図４】
2008028685.tif 000006
【図５】
2008028685.tif 000007
【図６】
2008028685.tif 000008
【図７】
2008028685.tif 000009
【図８】
2008028685.tif 000010
【図９】
2008028685.tif 000011
【図１０】
2008028685.tif 000012
【図１１】
2008028685.tif 000013
【図１２】
2008028685.tif 000014
【図１３】
2008028685.tif 000015
【図１４】
2008028685.tif 000016